【手続補正書】
【提出日】平成16年2月16日(2004.2.16)
【手続補正１】
【補正対象書類名】明細書
【補正対象項目名】発明の名称
【補正方法】変更
【補正の内容】
【発明の名称】ドキュメントの保存・管理システム、ドキュメントサーバ及びドキュメントデータの貸し出し方法


【手続補正２】
【補正対象書類名】明細書
【補正対象項目名】特許請求の範囲
【補正方法】変更
【補正の内容】
【特許請求の範囲】
【請求項１】
制御装置の制御用ソフトウェアを記述するドキュメントの保存・管理装置と、制御システムに備えられる制御装置のソフトウェア保守ツールとが通信回線で接続されて構成され、前記制御装置のソフトウェア保守ツールが制御装置のソフトウェアの変更、修正、追加、削除等の操作を行った場合、前記ドキュメント保存・管理装置が保管・管理する制御回路ソフトウェアのドキュメントに前記操作の内容を、ドキュメントのシート単位に反映させて、制御装置のソフトウェアドキュメント保存・管理装置に保管するドキュメントと制御システムに内蔵する制御装置のソフトウェアの一致管理を行い、前記ドキュメントの保存・管理装置が保管・管理する制御回路ソフトウェアのドキュメントをドキュメントのシート単位に前記ソフトウェア保守ツールから参照可能とし、ドキュメントの一元管理を行うことを特徴とするドキュメントの保存・管理システム。
【請求項２】
前記通信回線に接続された端末システムをさらに備え、該端末システムが、前記ドキュメントの保存・管理装置が持つ制御装置の制御用ソフトウェアを記述するドキュメントのシート単位にソフトウェア保守、参照が可能であることを特徴とする請求項１記載のドキュメントの保存・管理システム。
【請求項３】
前記ドキュメントの保存・管理装置は、自装置が持つ制御用ソフトウェアを記述するドキュメントを参照した端末システムあるいは保守ツール毎にドキュメントの参照回数を監視し保管する機能を有し、参照のあった端末システムあるいは保守ツール毎にドキュメントの参照利用回数を把握することを特徴とする請求項１または２記載のドキュメントの保存・管理システム。
【請求項４】
前記ドキュメントの参照回数は、新規表示、改ページ等のシートを参照する都度カウントされた値であることを特徴とする請求項３記載のドキュメントの保存・管理装置システム。
【請求項５】
前記ドキュメントの参照回数は、新規表示、改ページ等のシートを参照する都度、及び、シート中の素子に付随する制御用動作属性の参照の都度カウントされた値であることを特徴とする請求項３記載のドキュメントの保存・管理装置システム。
【請求項６】
前記通信回線に接続された端末システムは、制御装置の制御回路ソフトウェアのドキュメントを参照した場合、制御装置内の信号動作状態を取り込み、これを制御回路ソフトウェアのドキュメントに重ねて表示することを特徴とする請求項２または３記載のドキュメントの保存・管理システム。
【請求項７】
前記ドキュメントの参照回数は、新規表示・改ページ等シートを参照する都度、及び、制御装置の信号動作状態を重ね合わせ表示させていた継続時間を参照の都度カウントされた値であることを特徴とする請求項６記載のドキュメントの保存・管理システム。
【請求項８】
前記ドキュメントの参照回数は、新規表示・改ページ等シートを参照する都度、及び、シート中の素子に付随する制御用動作属性を制御装置内から読み出して表示の都度カウントされた値であることを特徴とする請求項６記載のドキュメントの保存・管理システム。
【請求項９】
前記ドキュメントは、参照・編集可能な複数のドキュメントシートからなり、該シートを複数集めて図面に構成され、図面が１または複数のシートからなる分冊に分割可能に構成され、前記ドキュメントには、制御回路が格納される制御装置の計算機やコントローラの格納単位毎、前記ドキュメントシート、分冊、分冊の集合としての図面及びドキュメントシート内の素子毎に設定される制御用動作属性、素子の表示属性毎にドキュメントが記述され、前記端末システムは、これらの格納単位毎に、そのドキュメントをドキュメントの保存・管理装置から借り出し・戻し入れ可能であることを特徴とする請求項２記載のドキュメントの保存・管理システム。
【請求項１０】
前記ドキュメントの保存・管理装置は、制御装置の保守ツールまたはソフトウェア保守・参照を行う端末システムがドキュメントの変更、修正、追加、削除等の操作のためにドキュメントをドキュメントの保存・管理装置から借り出しする都度、ドキュメント毎の参照回数を監視し保管する機能を有し、参照のあった端末システムあるいは保守ツール毎にドキュメントの貸し出し回数を保管し、ドキュメントの変更、修正、追加、削除等の操作後に戻し入れされる都度、ドキュメントの再預け入れ回数を監視し保管することを特徴とする請求項２記載のドキュメントの保存・管理システム。
【請求項１１】
前記ドキュメントの貸し出し、戻し入れ回数は、貸し出し・戻し入れの単位となる、シート毎に貸し出し・戻し入れしたカウント値と、分冊毎に貸し出し・戻し入れしたカウント値と、図面毎に貸し出し・戻し入れしたカウント値と、素子の属性のみを変更した場合の変更した素子の編集カウント及び制御装置の格納単位毎に貸し出し・戻し入れしたカウント値とをそれぞれ別にカウントした値であることを特徴とする請求項１０記載のドキュメントの保存・管理システム。
【請求項１２】
前記端末システムがシート中の素子に付随する制御用動作属性を変更・編集し、これをドキュメント及び制御装置に書き込んだ都度カウントすることを特徴とする請求項１１記載のドキュメントの保存・管理システム。
【請求項１３】
制御装置の制御用ソフトウェアを記述するドキュメントの保存・管理を行うドキュメントサーバにおいて、ドキュメントデータの貸し出し状況を管理する貸し出し管理テーブルを備えると共に、端末システムからドキュメントデータの貸し出し要求があると、前記貸し出し管理テーブルを参照して、当該ドキュメントデータが貸し出し中か否かを確認する手段と、該当データが貸し出し可能であれば、ドキュメントデータを端末システムに貸し出す処理を実行する手段と、貸し出しを行ったとき、前記貸し出し管理テーブルの更新を行う手段とを備えることを特徴とするドキュメントサーバ。
【請求項１４】
制御装置の制御用ソフトウェアを記述するドキュメントの保存・管理を行うドキュメントサーバにおけるドキュメントデータの貸し出し方法において、端末システムからドキュメントデータの貸し出し要求があると、ドキュメントデータの貸し出し状況を管理する貸し出し管理テーブルを参照して、当該ドキュメントデータが貸し出し中か否かを確認し、該当データが貸し出し可能であれば、ドキュメントデータを端末システムに貸し出す処理を実行し、前記貸し出し管理テーブルの更新を行うことを特徴とするドキュメントデータの貸し出し方法。
【手続補正３】
【補正対象書類名】明細書
【補正対象項目名】０００１
【補正方法】変更
【補正の内容】
【０００１】
【発明の属する技術分野】
本発明は、ドキュメントの保存・管理システム、ドキュメントサーバ及びドキュメントデータの貸し出し方法に係り、特に、火力、原子力、化学プラント、上下水プラント等のプラント制御装置の制御用ドキュメントの保存・管理システム、ドキュメントサーバ及びドキュメントデータの貸し出し方法に関する。


【手続補正４】
【補正対象書類名】明細書
【補正対象項目名】０００４
【補正方法】変更
【補正の内容】
【０００４】
本発明の目的は、前記従来技術の問題点を解決し、プラントの運用と制御用ドキュメントの保存・管理とを切り離して、ドキュメントの更新等を迅速に行うことができるようにすると共に、運用されるプロセスを、常に最適な運用状態に保つことができるようにするドキュメントの保守・管理システム、ドキュメントサーバ及びドキュメントデータの貸し出し方法を提供することにある。


【手続補正５】
【補正対象書類名】明細書
【補正対象項目名】０００６
【補正方法】変更
【補正の内容】
【０００６】
【発明の実施の形態】
以下、本発明によるドキュメントの保守・管理システム、ドキュメントサーバ及びドキュメントデータの貸し出し方法の実施形態を図面により詳細に説明する。


【手続補正６】
【補正対象書類名】明細書
【補正対象項目名】００３９
【補正方法】変更
【補正の内容】
【００３９】
（３）ステップ１２６の確認で、該当シートが貸し出し可能であれば、ドキュメントサーバ１は、シートデータを端末システム３に貸し出す処理を実行し、貸し出し管理テーブルに記入する（ステップ１２８、１２９）。